(57)【要約】【課題】戸棚部を吊り戸棚本体に収納するために、戸棚部を上下方向へ移動する際に、力が不要で、確実に移動でき、システムキッチンの高い場所にある吊り戸棚でも、操作性が良好で、しかも、複雑な構成が不要であり、コストが低減できる吊り戸棚を提供する。【解決手段】吊り戸棚本体の一部を構成する本体側板と、戸棚部の一部を構成する戸棚側板と、戸棚側板を本体側板に対して上下に案内するガイド部と、戸棚側板を上下に案内する傾斜するように設けられたガイド溝と、一端が戸棚側板に回動可能に軸支されるとともに、他端が本体側板のガイド溝内を案内されるガイドローラーを備えたレバー部材とを備え、戸棚部を吊り戸棚本体に対して、上下に移動させる際に、戸棚側板が、本体側板に対してガイド部に沿って上下方向に案内されるとともに、レバー部材が回動しつつ、他端のガイドローラーが、本体側板のガイド溝の傾斜面に案内されることによって、戸棚部を吊り戸棚本体に対して、上下に移動可能に構成されている。【選択図】図５
2013103070.tif 000002
【特許請求の範囲】
【請求項１】
吊り戸棚本体内に収納可能で、吊り戸棚本体に対して上下に昇降可能に構成された戸棚部を備えた吊り戸棚であって、
前記吊り戸棚本体の一部を構成する本体側板と、
前記戸棚部の一部を構成する戸棚側板と、
前記戸棚側板を本体側板に対して上下に案内するガイド部と、
前記戸棚側板を上下に案内する傾斜するように設けられたガイド溝と、
一端が戸棚側板に回動可能に軸支されるとともに、他端が本体側板のガイド溝内を案内されるガイドローラーを備えたレバー部材とを備え、
前記戸棚部を吊り戸棚本体に対して、上下に移動させる際に、
前記戸棚側板が、本体側板に対してガイド部に沿って上下方向に案内されるとともに、
前記レバー部材が回動しつつ、他端のガイドローラーが、本体側板のガイド溝の傾斜面に案内されることによって、
前記戸棚部を吊り戸棚本体に対して、上下に移動可能に構成されていることを特徴とする吊り戸棚。
【請求項２】
前記レバー部材の略中間部に一端が連結されるとともに、他端が戸棚側板に連結され、戸棚側板を上方向に付勢する付勢部材を備えることを特徴とする請求項１に記載の吊り戸棚。
【請求項３】
前記本体側板のガイド部に、戸棚側板を上方向に付勢する付勢部材を備えることを特徴とする請求項１に記載の吊り戸棚。
【請求項４】
前記レバー部材の一端の軸支部分に、戸棚側板を上方向に付勢する付勢部材を備えることを特徴とする請求項１に記載の吊り戸棚。
【請求項５】
前記本体側板のガイド溝の下端に、レバー部材のガイドローラーが嵌合するストッパー嵌合部が形成され、
前記戸棚部を吊り戸棚本体に対して下方向に移動した際に、レバー部材のガイドローラーが本体側板のガイド溝のストッパー嵌合部に嵌合して、ストッパーとして機能するように構成されていることを特徴とする請求項１から４のいずれかに記載の吊り戸棚。
【請求項６】
前記戸棚部を吊り戸棚本体に対して上方向に移動して、戸棚部を吊り戸棚本体に収納した際に、レバー部材の他端のガイドローラーの水平位置が、レバー部材の一端の軸支部分の水平位置よりも下方に位置するように構成されていることを特徴とする請求項１から５のいずれかに記載の吊り戸棚。
【発明の詳細な説明】
【技術分野】
【０００１】
本発明は、例えば、システムキッチンに用いられ、吊り戸棚本体内に収納可能で、吊り戸棚本体に対して上下に昇降可能に構成された戸棚部を備えた吊り戸棚に関する。
【背景技術】
【０００２】
従来、この種の吊り戸棚の昇降構造としては、例えば、特許文献１（実開昭６３−１１５３４２号公報）に記載されているように、壁面に固定した吊り戸棚本体の下部に、戸棚部を配置し、戸棚部の左右を２本のコネクティングロッドによって吊り戸棚本体に連接したシステムキッチン用の吊り戸棚が開示されている。
【０００３】
また、特許文献２（実開平１−１４１５３４号公報）には、吊り戸棚本体に対し、下方に引出し自在な戸棚部を設けたシステムキッチン用の吊り戸棚が開示されている。
【０００４】
これらの特許文献１、特許文献２の吊り戸棚はいずれも、手動で戸棚部を上下方向に移動させるようになっている。
【０００５】
このため、特許文献３（特開平９−７５１５０号公報）では、自動（電動）で吊り戸棚を昇降する機構として、戸棚部の左右側面と固定部の左右側面との間に、戸棚部を上下方向に案内する直動ガイドレールと、戸棚部の上方に配置された両軸モーターの左右の駆動軸に、可撓性を有する回転伝達ケーブルによって結合されて、モーターの駆動力により戸棚部を上下駆動するウオームギアなどの昇降駆動部を有するシステムキッチン用の吊り戸棚が開示されている。
【先行技術文献】
【特許文献】
【０００６】
【特許文献１】実開昭６３−１１５３４２号公報
【特許文献２】実開平１−１４１５３４号公報
【特許文献３】特開平９−７５１５０号公報
【発明の概要】
【発明が解決しようとする課題】
【０００７】
しかしながら、このような従来の特許文献１、特許文献２のシステムキッチン用の吊り戸棚では、例えば、戸棚部に食器などを多量に積載した場合には、戸棚部を吊り戸棚本体に収納するために、吊り戸棚を上下方向へ移動するには、かなり力が必要であり、通常、システムキッチンの高い場所にある吊り戸棚では、操作性が良好ではなかった。
【０００８】
また、特許文献３の吊り戸棚では、自動で戸棚部を昇降するように構成しているが、自動であるため、直動ガイドレール、モーター、ウオームギアなど複雑な構成が必要であり、コストが高くつくとともに、電気などの駆動原が必要であった。
【０００９】
本発明は、このような現状に鑑み、例えば、戸棚部に食器などを多量に積載した場合にも、戸棚部を吊り戸棚本体に収納するために、戸棚部を上下方向へ移動する際に、力が不要で、確実に移動でき、システムキッチンの高い場所にある吊り戸棚でも、操作性が良好で、しかも、複雑な構成が不要であり、コストが低減できる吊り戸棚を提供することを目的とする。
【課題を解決するための手段】
【００１０】
本発明は、前述したような従来技術における課題及び目的を達成するために発明されたものであって、本発明の吊り戸棚は、
吊り戸棚本体内に収納可能で、吊り戸棚本体に対して上下に昇降可能に構成された戸棚部を備えた吊り戸棚であって、
前記吊り戸棚本体の一部を構成する本体側板と、
前記戸棚部の一部を構成する戸棚側板と、
前記戸棚側板を本体側板に対して上下に案内するガイド部と、
前記戸棚側板を上下に案内する傾斜するように設けられたガイド溝と、
一端が戸棚側板に回動可能に軸支されるとともに、他端が本体側板のガイド溝内を案内されるガイドローラーを備えたレバー部材とを備え、
前記戸棚部を吊り戸棚本体に対して、上下に移動させる際に、
前記戸棚側板が、本体側板に対してガイド部に沿って上下方向に案内されるとともに、
前記レバー部材が回動しつつ、他端のガイドローラーが、本体側板のガイド溝の傾斜面に案内されることによって、
前記戸棚部を吊り戸棚本体に対して、上下に移動可能に構成されていることを特徴とする。
【００１１】
このように構成することによって、戸棚部を吊り戸棚本体に対して、上下に移動させる際に、戸棚側板が、本体側板に対してガイド部に沿って上下方向に案内されるとともに、レバー部材が回動しつつ、他端のガイドローラーが、本体側板のガイド溝の傾斜面に案内されることになる。
【００１２】
これにより、戸棚部を吊り戸棚本体に対して、上下に円滑に移動することができ、例えば、戸棚部に食器などを多量に積載した場合にも、戸棚部を吊り戸棚本体に収納するために、戸棚部を上下方向へ移動する際にも、レバー部材のてこの作用により、力が不要で、確実に移動でき、システムキッチンの高い場所にある吊り戸棚でも、操作性が良好で、しかも、簡単な構造で、複雑な構成が不要であり、コストが低減できる吊り戸棚を提供することができる。
【００１３】
また、本発明の吊り戸棚は、前記レバー部材の略中間部に一端が連結されるとともに、他端が戸棚側板に連結され、戸棚側板を上方向に付勢する付勢部材を備えることを特徴とする。
【００１４】
このようにレバー部材の略中間部に一端が連結されるとともに、他端が戸棚側板に連結され、戸棚側板を上方向に付勢する付勢部材を備えるので、例えば、戸棚部に食器などを多量に積載した場合にも、戸棚部を吊り戸棚本体に収納する際に、戸棚側板を上方向に移動させる場合に大きな力が不要である。
【００１５】
また、逆に、戸棚部を吊り戸棚本体から下方に移動させるには、この付勢部材の付勢力に抗して下方に移動させるだけでよいので移動がスムーズに行える。
【００１６】
また、本発明の吊り戸棚は、前記本体側板のガイド部に、戸棚側板を上方向に付勢する付勢部材を備えることを特徴とする。
【００１７】
このように構成することによって、本体側板のガイド部に、戸棚側板を上方向に付勢する付勢部材を備えればよいので、構成が簡単で、デザイン上も余計な付勢部材が外部に露出しないので優れることになる。
【００１８】
しかも、この付勢部材によって、例えば、戸棚部に食器などを多量に積載した場合にも、戸棚部を吊り戸棚本体に収納する際に、戸棚側板を上方向に移動させる場合に大きな力が不要である。
【００１９】
また、逆に、戸棚部を吊り戸棚本体から下方に移動させるには、この付勢部材の付勢力に抗して下方に移動させるだけでよいので移動がスムーズに行える。
【００２０】
また、本発明の吊り戸棚は、前記レバー部材の一端の軸支部分に、戸棚側板を上方向に付勢する付勢部材を備えることを特徴とする。
【００２１】
このように構成することによって、レバー部材の一端の軸支部分に、戸棚側板を上方向に付勢する付勢部材を備えればよいので、構成が簡単で、デザイン上も余計な付勢部材が外部に露出しないので優れることになる。
【００２２】
しかも、この付勢部材によって、例えば、戸棚部に食器などを多量に積載した場合にも、戸棚部を吊り戸棚本体に収納する際に、戸棚側板を上方向に移動させる場合に大きな力が不要である。
【００２３】
また、本発明の吊り戸棚は、
前記本体側板のガイド溝の下端に、レバー部材のガイドローラーが嵌合するストッパー嵌合部が形成され、
前記戸棚部を吊り戸棚本体に対して下方向に移動した際に、レバー部材のガイドローラーが本体側板のガイド溝のストッパー嵌合部に嵌合して、ストッパーとして機能するように構成されていることを特徴とする。
【００２４】
このように構成することによって、戸棚部を吊り戸棚本体に対して下方向に移動した際に、レバー部材のガイドローラーが本体側板のガイド溝のストッパー嵌合部に嵌合して、ストッパーとして機能する。
【００２５】
従って、戸棚部を吊り戸棚本体に対して下方向に移動した際に固定することができ、不用意に、戸棚部が上下に移動して、例えば、戸棚部に載置した食器などが破損損傷するのを防止することができる。
【００２６】
また、本発明の吊り戸棚は、
前記戸棚部を吊り戸棚本体に対して上方向に移動して、戸棚部を吊り戸棚本体に収納した際に、レバー部材の他端のガイドローラーの水平位置が、レバー部材の一端の軸支部分の水平位置よりも下方に位置するように構成されていることを特徴とする。
【００２７】
このように構成することによって、戸棚部を吊り戸棚本体に対して上方向に移動して、戸棚部を吊り戸棚本体に収納する際に、レバー部材の他端のガイドローラーの水平位置が、レバー部材の一端の軸支部分の水平位置と同じ位置を越えて、レバー部材の他端のガイドローラーの水平位置が、レバー部材の一端の軸支部分の水平位置よりも下方に位置することになる。
【００２８】
従って、この位置で固定することができ、戸棚部を下方に移動するには、再び、レバー部材の他端のガイドローラーの水平位置が、レバー部材の一端の軸支部分の水平位置と同じ位置を越える必要があるので、ストッパーとして機能し、下方への移動に力が必要で、不用意に、戸棚部が下方に移動して、例えば、戸棚部に載置した食器などが破損損傷するのを防止することができる。
【発明の効果】
【００２９】
本発明によれば、戸棚部を吊り戸棚本体に対して、上下に円滑に移動することができ、例えば、戸棚部に食器などを多量に積載した場合にも、戸棚部を吊り戸棚本体に収納するために、戸棚部を上下方向へ移動する際にも、レバー部材のてこの作用により、力が不要で、確実に移動でき、システムキッチンの高い場所にある吊り戸棚でも、操作性が良好で、しかも、簡単な構造で、複雑な構成が不要であり、コストが低減できる吊り戸棚を提供することができる。
【図面の簡単な説明】
【００３０】
【図１】図１は、本発明の吊り戸棚の斜視図であり、戸棚部を吊り戸棚本体に収納した状態を示す斜視図である。
【図２】図２は、図１のＡ方向の側面図である。
【図３】図３は、図１のＢ方向の正面図である。
【図４】図４は、本発明の吊り戸棚の斜視図であり、戸棚部を吊り戸棚本体から下方に移動した状態を示す斜視図である。
【図５】図５は、図４のＡ方向の側面図である。
【図６】図６は、図４のＢ方向の正面図である。
【図７】図７は、図２の部分拡大図である。
【発明を実施するための形態】
【００３１】
以下、本発明の実施の形態（実施例）を図面に基づいてより詳細に説明する。
【００３２】
図１は、本発明の吊り戸棚の斜視図であり、戸棚部を吊り戸棚本体に収納した状態を示す斜視図、図２は、図１のＡ方向の側面図、図３は、図１のＢ方向の正面図、図４は、本発明の吊り戸棚の斜視図であり、戸棚部を吊り戸棚本体から下方に移動した状態を示す斜視図、図５は、図４のＡ方向の側面図、図６は、図４のＢ方向の正面図、図７は、図２の部分拡大図である。
【００３３】
図１〜図６において、符号１０は、全体で本発明の吊り戸棚を示している。
【００３４】
図１、図４に示したように、本発明の吊り戸棚１０は、図示しないが、例えば、システムキッチンの戸棚として壁に取り付けて使用したり、システムキッチンの固定式の戸棚の下方に取り付けて使用されるものである。
【００３５】
吊り戸棚１０は、吊り戸棚本体１２と、吊り戸棚本体１２に対して上下に昇降可能に構成され、例えば、食器、調味料などを載置するための戸棚部１４とを備えている。
【００３６】
吊り戸棚本体１２は、一対の略矩形状の本体側板１６を備えており、この本体側板１６の上部には、上部固定フランジ１８が内側に突設されている。また、本体側板１６の背面側にも、背面固定フランジ２０が内側に突設されている。
【００３７】
そして、本体側板１６の上部の背面固定フランジ２０に形成された取り付け用ネジ孔２２に、図示しない、ボルトなどの締結部材によって、上板部２４と、前板部２６とが一体に構成された断面略Ｌ字形状の遮蔽板２８が固定されている。
【００３８】
なお、図示しないが、背面固定フランジ２０に形成された取り付け用ネジ孔３０に、図示しない、ボルトなどの締結部材によって、背面板が固定されている。
【００３９】
これにより、吊り戸棚本体１２は、下方が開口した状態で、その内部に、戸棚部１４を収容する空間Ｓが形成されている。
【００４０】
さらに、本体側板１６の前方側の下方側の一部には。略矩形状に突設された突設部３２が形成されており、この突設部３２には、図示しない蛍光灯などを取り付けるための開口部３４と、取り付け用ネジ孔３６が形成されている。
【００４１】
また、図４、図５に示したように、本体側板１６には、略三角形で傾斜するように設けられたガイド溝３８が形成されている。
【００４２】
一方、戸棚部１４は、一対の略矩形板形状の戸棚側板４０を備えており、これらの戸棚側板４０の間を、棚板４２が固定されている。すなわち、この棚板４２は、断面略Ｌ字形状であって、背面部４４と、棚板部４６とから構成されており、図１〜図６に示したように、これらの背面部４４、棚板部４６の裏面に形成されたネジ固定部４８によって、図示しないボルトなどの締結部材によって、戸棚側板４０の間に固定されている。
【００４３】
また、戸棚側板４０の外側表面には、ガイド用凹設部５０が形成されており、このガイド用凹設部５０の後端側に、ピボット軸５２によって一端が回動可能に軸支されたレバー部材５４が連結されている。
【００４４】
このレバー部材５４の他端には、ガイドローラー５６が回転軸５６ａによって回転可能に軸支されており、ガイドローラー５６は、本体側板１６に形成されたガイド溝３８に装着されて、ガイド溝３８の案内傾斜面３８ａに沿って案内されて移動するように構成されている。
【００４５】
また、レバー部材５４の略中間部には、付勢部材を構成するコイルスプリング５８が連結されている。
【００４６】
すなわち、コイルスプリング５８の一端６０が、レバー部材５４の略中間部に設けられたスプリング支持部６２に連結されている。そして、コイルスプリング５８の他端６１が、戸棚側板４０のガイド用凹設部５０の中央に形成された、略三角形のコイルガイド部５０ａの下端に設けられたスプリング支持部６４に連結されている。
【００４７】
これにより、戸棚側板４０を上方に、すなわち、本体側板１６の方向に付勢するように構成されており、これにより、戸棚部１４が、吊り戸棚本体１２内に収容される方向に付勢されるようになっている。
【００４８】
さらに、本体側板１６の後端側には、上下方向に延びるように形成されたガイド部材６６が設けられるとともに、これに対応して、戸棚側板４０の後端側には、上下方向に延びるように形成されたガイド部材６８が構成されており、これらのガイド部材６６、６８によって、戸棚側板４０を本体側板１６に対して上下に案内するガイド部が構成されている。
【００４９】
さらに、図５に示したように、本体側板１６に形成されたガイド溝３８の下端部には、レバー部材５４のガイドローラー５６が嵌合して、後述するように下方ストッパーの機能を構成するストッパー嵌合部３８ｂが形成されている。
【００５０】
このように構成された本発明の吊り戸棚１０の使用方法について、以下に、図１〜図６に基づいて説明する。
【００５１】
先ず、図１〜図３に示したように、通常の状態では、コイルスプリング５８の縮む方向への付勢力によって、レバー部材５４が、ピボット軸５２中心に回動して、略水平方向の位置にある。この際、レバー部材５４の他端のガイドローラー５６が、ガイド溝３８の案内傾斜面３８ａに沿って案内されて移動して、ガイド溝３８の上端３８ｃに位置するようになっている。
【００５２】
この状態では、戸棚側板４０が本体側板１６に対して上方向に移動した位置にあって、戸棚部１４が、吊り戸棚本体１２内の空間Ｓに収容された状態となっている。
【００５３】
これにより、戸棚部１４に載置された、例えば、食器、調味料などが、吊り戸棚本体１２の本体側板１６、上板部２４と前板部２６からなる遮蔽板２８、図示しない背面板によって取り囲まれて、埃などによって、食器、調味料などが汚染されないようになっている。
【００５４】
また、この状態では、図２、図７の鎖線で示したように、レバー部材５４の他端のガイドローラー５６の水平位置（回転軸５６ａ）が、レバー部材５４の一端の軸支部分（ピボット軸５２）の水平位置よりも下方に位置するように構成されている。
【００５５】
すなわち、レバー部材５４の一端の軸支部分（ピボット軸５２）と、レバー部材５４の他端のガイドローラー５６の回転軸５６ａを結ぶ線と、水平線とのなす角度が、傾斜角度αを有するように構成されている。
【００５６】
このように構成することによって、戸棚部１４を吊り戸棚本体１２に対して上方向に移動して、戸棚部１４を吊り戸棚本体１２の空間Ｓに収納する際に、レバー部材５４の他端のガイドローラー５６の水平位置（回転軸５６ａ）が、レバー部材５４の一端の軸支部分（ピボット軸５２）の水平位置と同じ位置を越えて、レバー部材５４の他端のガイドローラー５６の水平位置（回転軸５６ａ）が、レバー部材５４の一端の軸支部分（ピボット軸５２）よりも下方に位置することになる。
【００５７】
従って、この位置で固定することができ、戸棚部１４を下方に移動するには、再び、レバー部材５４の他端のガイドローラー５６の水平位置（回転軸５６ａ）が、レバー部材５４の一端の軸支部分（ピボット軸５２）の水平位置と同じ位置を越える必要があるので、上方ストッパーとして機能し、下方への移動に力が必要で、不用意に、戸棚部１４が下方に移動して、例えば、戸棚部１４に載置した食器などが破損損傷するのを防止することができる。
【００５８】
この状態から、戸棚部１４に載置した食器などを取り出す際には、別途図示しない、例えば、戸棚部１４の棚板４２の下面などに設けた操作ハンドルを手で把持して、戸棚部１４を、コイルスプリング５８付勢力に抗して、下方に引き下げる。
【００５９】
これにより、レバー部材５４の他端のガイドローラー５６の水平位置（回転軸５６ａ）が、レバー部材５４の一端の軸支部分（ピボット軸５２）の水平位置と同じ位置を越えて、上方ストッパーが解除される。
【００６０】
この状態で、さらに、戸棚部１４を、コイルスプリング５８の付勢力に抗して、さらに下方に引き下げることによって、図４〜図６に示したように、戸棚側板４０が、本体側板１６に対して、ガイド部（本体側板１６に形成されたガイド部材６６と戸棚側板４０に形成されたガイド部材６８）に沿って、下方向に案内される（図５の矢印Ｃ参照）。
【００６１】
これと同時に、図５の矢印Ｄで示したように、レバー部材５４が上方向に回動しつつ、他端のガイドローラー５６が、本体側板１６に形成されたガイド溝３８の案内傾斜面３８ａに沿って下方に案内されて、図５の矢印Ｅで示したように、ガイドローラー５６が、下方ストッパーの機能を構成するストッパー嵌合部３８ｂに嵌合する。これにより、コイルスプリング５８の付勢力によって、戸棚側板４０が、本体側板１６に対して不用意に上方向に移動して、戸棚部１４に載置した食器などが破損損傷するのが防止されるようになっている。
【００６２】
この状態では、戸棚側板４０が本体側板１６に対して下方向に移動した位置にあって、戸棚部１４が、吊り戸棚本体１２内の空間Ｓから取り出した状態となっている。
【００６３】
この状態から、再び、戸棚部１４を、吊り戸棚本体１２内の空間Ｓに収容するには、戸棚部１４を上方に押し上げればよい。
【００６４】
これにより、図５の矢印Ｅの方向とは逆方向に、ガイドローラー５６が、下方ストッパーの機能を構成するストッパー嵌合部３８ｂとの嵌合状態から解除される。これにより、下方ストッパーの機能が解除されて、コイルスプリング５８の付勢力によって、戸棚側板４０が、本体側板１６に対して上方向に移動することになる。
【００６５】
そして、図４〜図６に示したように、戸棚側板４０が、本体側板１６に対して、ガイド部（本体側板１６に形成されたガイド部材６６と戸棚側板４０に形成されたガイド部材６８）に沿って、上方向に（図５の矢印Ｃと反対方向に）案内される。
【００６６】
これと同時に、図５の矢印Ｄの方向とは逆方向に、レバー部材５４が下方向に回動しつつ、他端のガイドローラー５６が、本体側板１６に形成されたガイド溝３８の案内傾斜面３８ａに沿って上方に案内されて移動して、ガイド溝３８の上端３８ｃに位置するようになり、再び、図１〜図３に示したように、戸棚側板４０が本体側板１６に対して上方向に移動した位置にあって、戸棚部１４が、吊り戸棚本体１２内の空間Ｓに収容された状態となる。
【００６７】
以上のように構成することによって、本発明の吊り戸棚１０によれば、戸棚部１４を吊り戸棚本体１２に対して、上下に円滑に移動することができ、例えば、戸棚部１４に食器などを多量に積載した場合にも、戸棚部１４を吊り戸棚本体１２内の空間Ｓに収納するために、戸棚部１４を上下方向へ移動する際にも、レバー部材５４のてこの作用により、力が不要で、確実に移動でき、システムキッチンの高い場所にある吊り戸棚でも、操作性が良好で、しかも、簡単な構造で、複雑な構成が不要であり、コストが低減できる吊り戸棚を提供することができる。
【００６８】
また、レバー部材５４の略中間部に一端が連結されるとともに、他端が戸棚側板４０に連結され、戸棚側板４０を上方向に付勢する付勢部材であるコイルスプリング５８を備えるので、例えば、戸棚部１４に食器などを多量に積載した場合にも、戸棚部１４を吊り戸棚本体１２に収納する際に、戸棚側板４０を上方向に移動させる場合に大きな力が不要である。
【００６９】
また、逆に、戸棚部１４を吊り戸棚本体１２から下方に移動させるには、この付勢部材の付勢力に抗して下方に移動させるだけでよいので移動がスムーズに行える。
【００７０】
さらに、戸棚部１４を吊り戸棚本体１２に対して下方向に移動した際に、レバー部材５４のガイドローラー５６が本体側板のガイド溝３８のストッパー嵌合部３８ｂに嵌合して、ストッパーとして機能する。
【００７１】
従って、戸棚部１４を吊り戸棚本体１２に対して下方向に移動した際に固定することができ、不用意に、戸棚部１４が上下に移動して、例えば、戸棚部１４に載置した食器などが破損損傷するのを防止することができる。
【００７２】
また、戸棚部１４を吊り戸棚本体１２に対して上方向に移動して、戸棚部１４を吊り戸棚本体１２に収納する際に、レバー部材５４の他端のガイドローラー５６の水平位置が、レバー部材５４の一端の軸支部分の水平位置と同じ位置を越えて、レバー部材５４の他端のガイドローラー５６の水平位置が、レバー部材５４の一端の軸支部分の水平位置よりも下方に位置することになる。
【００７３】
従って、この位置で固定することができ、戸棚部１４を下方に移動するには、再び、レバー部材５４の他端のガイドローラー５６の水平位置が、レバー部材５４の一端の軸支部分の水平位置と同じ位置を越える必要があるので、ストッパーとして機能し、下方への移動に力が必要で、不用意に、戸棚部１４が下方に移動して、例えば、戸棚部１４に載置した食器などが破損損傷するのを防止することができる。
【００７４】
なお、上記のような上方ストッパーの作用を奏するためには、図２、図７に示したように、レバー部材５４の一端の軸支部分（ピボット軸５２）と、レバー部材５４の他端のガイドローラー５６の回転軸５６ａを結ぶ線と、水平線とのなす傾斜角度αは、１°〜１０°、好ましくは、３〜８°の範囲とするのが望ましい。
【００７５】
また、ガイドローラー５６が、下方ストッパーの機能を構成するストッパー嵌合部３８ｂとの嵌合状態を維持して、下方ストッパーの機能を奏するためには、図２、図７に示したように、ストッパー嵌合部３８ｂの幅方向の長さＴが、ガイドローラー５６の直径Ｒよりも僅かに小さく、ストッパー嵌合部３８ｂの上下方向の長さＬが、ガイドローラー５６の直径Ｒに対して、１／１〜１／５、好ましくは、、１／２〜１／３の範囲にあるのが望ましい。
【００７６】
以上、本発明の好ましい実施の態様を説明してきたが、本発明はこれに限定されることはなく、例えば、上記実施例では、本体側板１６には、略三角形で傾斜するように設けられたガイド溝３８を形成したが、の案内傾斜面３８ａと、ストッパー嵌合部３８ｂ、上端３８ｃを有すればよく、図示しないが、単なる傾斜する略長溝形状とすることもできる。
【００７７】
また、上記実施例では、レバー部材５４の略中間部に一端が連結されるとともに、他端が戸棚側板４０に連結され、戸棚側板４０を上方向に付勢する付勢部材であるコイルスプリング５８を備えるように構成したが、図示しないが、本体側板１６のガイド部（（本体側板１６に形成されたガイド部材６６と戸棚側板４０に形成されたガイド部材６８））に、戸棚側板を上方向に付勢する付勢部材を備えてもよい。
【００７８】
このように構成することによって、本体側板１６のガイド部（ガイド部材６６、６８）に、戸棚側板４０を上方向に付勢する付勢部材を備えればよいので、構成が簡単で、デザイン上も余計な付勢部材が外部に露出しないので優れることになる。
【００７９】
さらに、レバー部材５４の一端の軸支部分（ピボット軸５２）に、戸棚側板４０を上方向に付勢する（図５の矢印Ｄと反対方向に付勢する）付勢部材を備えても良い。
【００８０】
このように構成することによって、レバー部材５４の一端の軸支部分（ピボット軸５２）に、戸棚側板４０を上方向に付勢する付勢部材を備えればよいので、構成が簡単で、デザイン上も余計な付勢部材が外部に露出しないので優れることになる。
【００８１】
また、上記実施例では、付勢部材を、戸棚側板４０を上方向に付勢する付勢部材としたが、逆に、付勢部材を、戸棚側板４０を下方向に付勢する付勢部材とすることも可能である。
【００８２】
さらに、上記実施例では、本発明の吊り戸棚１０を、例えば、システムキッチンの戸棚として壁に取り付けて使用したり、システムキッチンの固定式の戸棚の下方に取り付けて使用される例について説明したが、本発明は何らこれに限定されるものではなく、例えば、商品の陳列棚、オフィス、医療現場での事務用の吊り戸棚、工場での部品用の吊り戸棚など、吊り戸棚本体１２に対して上下に昇降可能に構成された戸棚部１４を有するものであれば、適用可能であるなど本発明の目的を逸脱しない範囲で種々の変更が可能である。
【産業上の利用可能性】
【００８３】
本発明は、例えば、システムキッチンに用いられ、吊り戸棚本体内に収納可能で、吊り戸棚本体に対して上下に昇降可能に構成された戸棚部を備えた吊り戸棚に適用することができる。
【符号の説明】
【００８４】
１０   吊り戸棚
１２   吊り戸棚本体
１４   戸棚部
１６   本体側板
１８   上部固定フランジ
２０   背面固定フランジ
２２   取り付け用ネジ孔
２４   上板部
２６   前板部
２８   遮蔽板
３０   取り付け用ネジ孔
３２   突設部
３４   開口部
３６   取り付け用ネジ孔
３８   ガイド溝
３８ａ 案内傾斜面
３８ｂ ストッパー嵌合部
３８ｃ 上端
４０   戸棚側板
４２   棚板
４４   背面部
４６   棚板部
４８   ネジ固定部
５０   ガイド用凹設部
５０ａ コイルガイド部
５２   ピボット軸
５４   レバー部材
５６   ガイドローラー
５６ａ 回転軸
５８   コイルスプリング
６０   一端
６２、６４    スプリング支持部
６６、６８    ガイド部材
【図１】
2013103070.tif 000003
【図２】
2013103070.tif 000004
【図３】
2013103070.tif 000005
【図４】
2013103070.tif 000006
【図５】
2013103070.tif 000007
【図６】
2013103070.tif 000008
【図７】
2013103070.tif 000009